【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
圧縮機を駆動するモータであって、
ロータと、
前記ロータの外周部を包囲するステータと、
前記ロータおよび前記ステータを収容するケースと、
前記圧縮機を含む冷媒回路から前記ケース内へと液冷媒を導入する液導入部と、
前記冷媒回路から前記ケース内へとガス冷媒を導入するガス導入部と、を備え、
前記ケース内には、
前記ロータおよび前記ステータの軸方向の一端側に位置する下流室と、
前記軸方向の他端側に位置し、前記ロータの外周部と前記ステータの内周部との間のギャップを介して前記下流室に連通する上流室と、があり、
前記ガス導入部は、
前記上流室内で前記液冷媒が溜まる液溜まりへと前記ガス冷媒を導入し、
前記液冷媒と前記ガス冷媒とが、前記上流室内で混合され、
前記液冷媒および前記ガス冷媒が混合した湿り蒸気が、少なくとも前記ギャップに供給される、
ことを特徴とする圧縮機駆動用モータ。
【請求項２】
圧縮機を駆動するモータであって、
ロータと、
前記ロータの外周部を包囲するステータと、
前記ロータおよび前記ステータを収容するケースと、
前記圧縮機を含む冷媒回路から前記ケース内へと液冷媒を導入する液導入部と、
前記冷媒回路から前記ケース内へとガス冷媒を導入するガス導入部と、を備え、
前記ケース内には、
前記ロータおよび前記ステータの軸方向の一端側に位置する下流室と、
前記軸方向の他端側に位置し、前記ロータの外周部と前記ステータの内周部との間のギャップを介して前記下流室に連通する上流室と、があり、
前記液導入部は、
軸周りに前記ロータが結合されるシャフトの内部に形成された流路を経由しないで前記上流室内へと前記液冷媒を導入する第１液導入部と、
前記流路を含み、前記流路を流れる前記液冷媒に働く遠心力によるポンプ効果により前記液冷媒を吸い込んで噴射する噴射口から前記上流室内へと前記液冷媒を導入する第２液導入部と、を備え、
前記液冷媒と前記ガス冷媒とが、前記上流室内で混合され、
前記液冷媒および前記ガス冷媒が混合した湿り蒸気が、少なくとも前記ギャップに供給される、
ことを特徴とする圧縮機駆動用モータ。
【請求項３】
圧縮機を駆動するモータであって、
ロータと、
前記ロータの外周部を包囲するステータと、
前記ロータおよび前記ステータを収容するケースと、
前記圧縮機を含む冷媒回路から前記ケース内へと液冷媒を導入する液導入部と、
前記冷媒回路から前記ケース内へとガス冷媒を導入するガス導入部と、を備え、
前記ケース内には、
前記ロータおよび前記ステータの軸方向の一端側に位置する下流室と、
前記軸方向の他端側に位置し、前記ロータの外周部と前記ステータの内周部との間のギャップを介して前記下流室に連通する上流室と、があり、
前記液導入部は、
軸周りに前記ロータが結合されるシャフトの内部に形成された流路を含み、
前記流路を流れる前記液冷媒に働く遠心力によるポンプ効果により前記液冷媒を吸い込んで噴射し、
前記ケース内には、
前記流路から前記ステータのコイルエンドに向けて噴射された前記液冷媒を一旦受けるガード部が備えられ、
前記液冷媒は、前記ガード部を通過して前記コイルエンドへと到達し、
前記液冷媒と前記ガス冷媒とが、前記上流室内で混合され、
前記液冷媒および前記ガス冷媒が混合した湿り蒸気が、少なくとも前記ギャップに供給される、
ことを特徴とする圧縮機駆動用モータ。
【請求項４】
前記下流室内には、
前記ギャップから流出した前記湿り蒸気を前記ステータのコイルエンドに向けて案内する案内部が備えられている、
ことを特徴とする請求項２または３に記載の圧縮機駆動用モータ。
【請求項５】
前記液導入部は、
前記液冷媒を前記上流室へ導入する第一経路と、
前記液冷媒を前記ケースと前記ステータとの間の隙間へ導入する第二経路と、に分岐する、
ことを特徴とする請求項１から４のいずれか一項に記載の圧縮機駆動用モータ。
【請求項６】
前記圧縮機は、
羽根車を備えた遠心式圧縮機である、
ことを特徴とする請求項１から５のいずれか一項に記載の圧縮機駆動用モータ。
【請求項７】
請求項１から６のいずれか一項に記載の圧縮機駆動用モータと、
前記圧縮機と、凝縮器と、蒸発器と、減圧部と、を備える、
ことを特徴とする冷媒回路。
【請求項８】
ロータと、前記ロータの径方向の外周部を包囲するステータと、前記ロータおよび前記ステータを収容するケースと、を備え、圧縮機を駆動するモータを冷却する方法であって、
前記ケース内には、
前記ロータおよび前記ステータの軸方向の一端側でかつ、前記圧縮機が配置される側に位置する下流室と、
前記軸方向の他端側に位置し、前記ロータの外周部と前記ステータの内周部との間のギャップを介して前記下流室に連通する上流室と、があり、
前記圧縮機を含む冷媒回路から導入される液冷媒と、前記冷媒回路から前記上流室内で前記液冷媒が溜まる液溜まりへと導入されるガス冷媒とを前記上流室内で混合するステップと、
前記液冷媒および前記ガス冷媒が混合した湿り蒸気を、少なくとも前記ギャップに供給するステップと、を含む、
ことを特徴とする圧縮機駆動用モータの冷却方法。
【手続補正２】
【補正対象書類名】明細書
【補正対象項目名】０００５
【補正方法】変更
【補正の内容】
【０００５】
本発明の第１の圧縮機を駆動するモータは、ロータと、ロータの外周部を包囲するステータと、ロータおよびステータを収容するケースと、圧縮機を含む冷媒回路からケース内へと液冷媒を導入する液導入部と、冷媒回路からケース内へとガス冷媒を導入するガス導入部と、を備える。
ケース内には、ロータおよびステータの軸方向の一端側でかつ、圧縮機が配置される側に位置する下流室と、軸方向の他端側に位置し、ロータの外周部とステータの内周部との間のギャップを介して下流室に連通する上流室と、がある。
そして、本発明は、ガス導入部が、上流室内で液冷媒が溜まる液溜まりへとガス冷媒を導入し、それぞれ導入される液冷媒とガス冷媒とが、上流室内で混合され、液冷媒およびガス冷媒が混合した湿り蒸気が、少なくともギャップに供給されることを特徴とする。
【手続補正３】
【補正対象書類名】明細書
【補正対象項目名】０００７
【補正方法】変更
【補正の内容】
【０００７】
本発明の圧縮機駆動用モータにおいて、ガス導入部は、上流室内で液冷媒が溜まる液溜まりへとガス冷媒を導入する。
そうすると、上流室内に溜まる液冷媒にガス冷媒が吹き込まれるので、液冷媒とガス冷媒とが効率よく混合される。
【手続補正４】
【補正対象書類名】明細書
【補正対象項目名】０００８
【補正方法】変更
【補正の内容】
【０００８】
本発明の第２の圧縮機を駆動するモータは、ロータと、ロータの外周部を包囲するステータと、ロータおよびステータを収容するケースと、圧縮機を含む冷媒回路からケース内へと液冷媒を導入する液導入部と、冷媒回路からケース内へとガス冷媒を導入するガス導入部と、を備える。
ケース内には、ロータおよびステータの軸方向の一端側でかつ、圧縮機が配置される側に位置する下流室と、軸方向の他端側に位置し、ロータの外周部とステータの内周部との間のギャップを介して下流室に連通する上流室と、がある。
そして、本発明は、液導入部が、軸周りにロータが結合されるシャフトの内部に形成された流路を経由しないで上流室内へと液冷媒を導入する第１液導入部と、流路を含み、流路を流れる液冷媒に働く遠心力によるポンプ効果により液冷媒を吸い込んで噴射する噴射口から上流室内へと液冷媒を導入する第２液導入部と、を備え、液冷媒とガス冷媒とが、上流室内で混合され、液冷媒およびガス冷媒が混合した湿り蒸気が、少なくともギャップに供給されることを特徴とする。
本発明の圧縮機駆動用モータにおいて、液導入部は、軸周りにロータが結合されるシャフトの内部に形成された流路を含み、流路を流れる液冷媒に働く遠心力によるポンプ効果により液冷媒を吸い込んで噴射する。
【手続補正５】
【補正対象書類名】明細書
【補正対象項目名】００１０
【補正方法】変更
【補正の内容】
【００１０】
本発明の圧縮機駆動用モータにおいて、液導入部は、シャフトの内部の流路を経由しないで上流室内へと液冷媒を導入する第１液導入部と、シャフトの内部の流路を含み、噴射口から上流室内へと液冷媒を導入する第２液導入部と、を備える。
そうすると、後述するように、冷媒回路の圧力条件等に基づいて、第１液導入部および第２液導入部を併用したり、いずれか一方を用いたりするといった制御が可能となる。
【手続補正６】
【補正対象書類名】明細書
【補正対象項目名】００１１
【補正方法】変更
【補正の内容】
【００１１】
本発明の第３の圧縮機を駆動するモータは、ロータと、ロータの外周部を包囲するステータと、ロータおよびステータを収容するケースと、圧縮機を含む冷媒回路からケース内へと液冷媒を導入する液導入部と、冷媒回路からケース内へとガス冷媒を導入するガス導入部と、を備える。
ケース内には、ロータおよびステータの軸方向の一端側でかつ、圧縮機が配置される側に位置する下流室と、軸方向の他端側に位置し、ロータの外周部とステータの内周部との間のギャップを介して下流室に連通する上流室と、がある。
そして、本発明は、液導入部が、軸周りにロータが結合されるシャフトの内部に形成された流路を含み、流路を流れる液冷媒に働く遠心力によるポンプ効果により液冷媒を吸い込んで噴射し、ケース内には、流路からステータのコイルエンドに向けて噴射された液冷媒を一旦受けるガード部が備えられ、液冷媒は、ガード部を通過してコイルエンドへと到達し、液冷媒とガス冷媒とが、上流室内で混合され、液冷媒およびガス冷媒が混合した湿り蒸気が、少なくともギャップに供給されることを特徴とする。
本発明の圧縮機駆動用モータにおいて、ケース内には、シャフト内部の流路からステータのコイルエンドに向けて噴射された液冷媒を一旦受けるガード部が備えられ、液冷媒は、ガード部を通過してコイルエンドへと到達する。
本発明の圧縮機駆動用モータにおいて、液導入部は、軸周りにロータが結合されるシャフトの内部に形成された流路を含み、流路を流れる液冷媒に働く遠心力によるポンプ効果により液冷媒を吸い込んで噴射する。
そうすると、遠心ポンプ効果によって液冷媒が液導入部を安定して流れ、噴射口から噴射される。噴射された液冷媒は、ステータコアから上流室内へと突出したコイルエンドを十分に冷却するとともに、ガス冷媒により巻き上げられてギャップへと流入する。
【手続補正７】
【補正対象書類名】明細書
【補正対象項目名】００１２
【補正方法】変更
【補正の内容】
【００１２】
本発明の圧縮機駆動用モータにおいて、下流室内には、ギャップから流出した湿り蒸気をステータのコイルエンドに向けて案内する案内部が備えられていることが好ましい。
また、本発明の圧縮機駆動用モータにおいて、液導入部は、液冷媒を上流室へ導入する第一経路と、液冷媒をケースとステータとの間の隙間へ導入する第二経路と、に分岐することが好ましい。
【手続補正８】
【補正対象書類名】明細書
【補正対象項目名】００１５
【補正方法】変更
【補正の内容】
【００１５】
また、本発明は、ロータと、ロータの径方向の外周部を包囲するステータと、ロータおよびステータを収容するケースと、を備え、圧縮機を駆動するモータを冷却する方法であって、ケース内には、ロータおよびステータの軸方向の一端側でかつ、圧縮機が配置される側に位置する下流室と、軸方向の他端側に位置し、ロータの外周部とステータの内周部との間のギャップを介して下流室に連通する上流室と、があり、圧縮機を含む冷媒回路から導入される液冷媒と、冷媒回路から上流室内で液冷媒が溜まる液溜まりへと導入されるガス冷媒とを上流室内で混合するステップと、液冷媒およびガス冷媒が混合した湿り蒸気を、少なくともギャップに供給するステップと、を含むことを特徴とする。